(57)【要約】【課題】便器に対して回転可能であって、適宜位置決めをすることができ、或いは回転位置に加えて便器に対して平行移動可能な便座を有する便座装置を提供する。【解決手段】便器１０の開口部１０２の上端部１０１に載置される第２の基体２には、レール体２３ａ〜２３ｄを備え、レール体２３ａ〜２３ｄにガイドされる移動体３４ａ〜３４ｄが第１の基体３の下面に設けられ、第１の基体３は、レール体２３ａ〜２３ｄに沿って、前後左右に移動可能となる。さらに、座体４は、ローラ４３によって、第１の基体３に対して回動自在に設けられる。【選択図】図１
2010075212.tif 000002
【特許請求の範囲】
【請求項１】
腰掛式の大便器に取り付けられる便器用便座装置であって、
前記腰掛式大便器の開口端の上側に載置され、前記開口端に沿った円環状をなす第１の基体と、
前記第１の基体上に載置され、前記第１の基体の円環状の側面に沿って閉じた円環状に形成された環状案内部によって案内される被案内部を備え、前記第１の基体に沿った環形状を有する座体と、
前記便座と前記第１の基体との間に位置し、前記第１の基体の円環と同心円周上に配置され、前記座体又は前記第１の基体の一方に支持され、他方に転接する複数の転動体とを備え、
前記便座は前記第１の基体に対して３６０度回動可能に設置されていることを特徴とする便器用便座装置。
【請求項２】
前記第１の基体と前記腰掛式大便器の開口端との間に配置され、開口端に沿って配置される環状又は弧状の第２の基体と、
前記第１の基体と前記第２の基体との間に設けられ、前記腰掛式大便器の開口に対して平行移動可能に、前記第１の基体を支持するガイド装置とを備える請求項１に記載の便器用便座装置。
【請求項３】
前記便座を、前記第１の基体に対して、回転可能なフリー状態と、回転不能な固定状態とに変更可能な回転角度位置決め手段を有する請求項１又は２に記載の便器用便座装置。
【請求項４】
前記第２の基体を、前記第１の基体に対して、移動可能なフリー状態と、移動不能な固定状態とに変更可能な移動位置位置きめ手段を有する請求項２又は３に記載の便器用便座装置。
【請求項５】
前記ガイド装置は、直交する２方向への移動を案内する案内部材と、前記案内部材によって直線方向に往復動する被案内部材とを備え、前記第１の基体又は前記第２の基体の一方に前記案内部材が、他方に前記被案内部材が固定されている請求項２〜４のいずれか１に記載の便器用便座装置。
【発明の詳細な説明】
【技術分野】
【０００１】
この発明は、便器用便座装置にかかり、詳しくは、便座が便器に対して回転可能に設けられている便器用便座装置に関するものである。
【背景技術】
【０００２】
従来の腰掛式大便器の便座は、蝶番を介して便器に対して揺動自在にセットされ、腰掛ける際には、便器の上に便座を下ろして使用し、男性が小便をする場合には、便座をあげて使用されることは、周知である。 
ところで、車椅子で移動しなければならない身体障害者などは、車椅子から腰掛式便器へ移動し、便座を使用する必要があり、用を足した後では、同様に車椅子に戻る必要がある。このような場合、便座が適宜回転すると便利である。 
このような問題を解決するため、座の部分が回転可能に構成された便座(特許文献１)が提案されている。
【特許文献１】特開平７−２０４１２５号
【発明の開示】
【発明が解決しようとする課題】
【０００３】
このような特許文献１に記載の発明は、便器上端部に転接するローラを備え、便座を回転させる場合には、このローラが転動することにより、滑らかに便座が回転する構成となっている。しかし、便器の開口上端部は、真円ではないため、便座を３６０度回転させることはできないといった問題があった。また、身体動作が緩慢な高齢者や身障者の場合には、便座が回転する以外に、便器に対する位置を移動可能に構成されていると、より利便性が向上する。 
一方、便座がフリー回転可能に構成されていると、便座に座った際に身体が安定せず、かえって好ましくないといった問題もあった。
【０００４】
この発明は、便器に対して回転可能であって、適宜位置決めをすることができ、或いは回転位置に加えて便器に対して平行移動可能な便座を有する便座装置を提供することを目的とするものである。
【課題を解決するための手段】
【０００５】
以上のような問題を解決する本発明は、以下のような構成を有する。 
（１）  腰掛式の大便器に取り付けられる便器用便座装置であって、
前記腰掛式大便器の開口端の上側に載置され、前記開口端に沿った円環状をなす第１の基体と、
前記第１の基体上に載置され、前記第１の基体の円環状の側面に沿って閉じた円環状に形成された環状案内部によって案内される被案内部を備え、前記第１の基体に沿った環形状を有する座体と、
前記便座と前記第１の基体との間に位置し、前記第１の基体の円環と同心円周上に配置され、前記座体又は前記第１の基体の一方に支持され、他方に転接する複数の転動体とを備え、
前記便座は前記第１の基体に対して３６０度回動可能に設置されていることを特徴とする便器用便座装置。
【０００６】
（２）  前記第１の基体と前記腰掛式大便器の開口端との間に配置され、開口端に沿って配置される環状又は弧状の第２の基体と、
前記第１の基体と前記第２の基体との間に設けられ、前記腰掛式大便器の開口に対して平行移動可能に、前記第１の基体を支持するガイド装置とを備える上記（１）に記載の便器用便座装置。
【０００７】
（３）  前記便座を、前記第１の基体に対して、回転可能なフリー状態と、回転不能な固定状態とに変更可能な回転角度位置決め手段を有する上記（１）又は（２）に記載の便器用便座装置。
【０００８】
（４）  前記第２の基体を、前記第１の基体に対して、移動可能なフリー状態と、移動不能な固定状態とに変更可能な移動位置位置きめ手段を有する上記（２）又は（３）に記載の便器用便座装置。
【０００９】
（５）  前記ガイド装置は、直交する２方向への移動を案内する案内部材と、前記案内部材によって直線方向に往復動する被案内部材とを備え、前記第１の基体又は前記第２の基体の一方に前記案内部材が、他方に前記被案内部材が固定されている上記（２）〜（４）のいずれか１に記載の便器用便座装置。
【発明の効果】
【００１０】
請求項１記載の発明によれば、座体は、閉じた円環状の第１の基体上を、転動体を介して回転移動可能に構成されているので、３６０度フリー回転可能となる。これにより、使用者の身体の状況に応じた回動位置を変更し得る範囲をより広範囲とすることができる。 
請求項２記載の発明によれば、座体は、回転移動に加えて、便器に対して平行移動が可能となり、使用者の身体の状況に応じた位置移動可能な範囲を、さらに広範囲に拡張させることが可能となる。
【００１１】
請求項３に記載の発明によれば、回転角度位置決め手段を設けることにより、座体を回転しないように固定することができ、座体に座った使用者の姿勢を安定させることができる。 
請求項４に記載の発明によれば、移動位置位置きめ手段を設けることにより、座体をスライド移動しないように固定することができ、座体に座った使用者の姿勢を安定させることができる。 
請求項５に記載の発明によれば、案内部材内を被案内部材が移動することによって、案内部材によって設定された軌道上を座体が平行移動することができる。また、移動方向を直行する２方向とすることによって、移動範囲を、さらに広範囲に拡張することができる。
【発明を実施するための最良の形態】
【００１２】
以下、本発明の好適実施形態について、添付図面に基づいて詳細に説明する。図１は、本発明の便器用便座装置１の分解斜視図である。図２は、同じく便器１０に取り付けた状態の全体図である。便器用便座装置１は、腰掛式便器１０の開口部１０２の上端部１０１に載置される第２の基体２と、第２の基体２の上に載置される第１の基体３と、さらに第１の基体３の上に載置される座体４とを備えている。
【００１３】
第２の基体２は、板状に形成され、開口部１０２の形状に沿った円環状に形成された環状部２１と、その内側の開口２２と、環状部２１の後側基端部２４に設けられた一対の回動接続部２４１ａ、２４１ｂとを備えている。開口２２は、便器１０の開口１０２に重なり、座体４上に座った使用者が排便する際に便が通過する。環状部２１は、開口部１０２の上端部１０１上に載り、回動接続部２４１ａ、２４１ｂは、便器１０の後端部に設けられた支持部１０３ａ、１０３ｂに揺動自在に支持されている。この回動接続部２４１ａ、２４１ｂを介して、第２の基体２は、開口部１０２の上端部１０１に載置された状態と、上方へ揺動して持ち上げられた状態とに姿勢変更可能に構成されており、便器用便座装置１全体の姿勢を変更することができる。
【００１４】
環状部２１上には、ガイド装置を構成する案内部材としてのレール体２３ａ〜２３ｄが固定されている。レール体２３ａ〜２３ｄは、４つ設けられ、開口２２を内側に含む矩形の４つの頂点の位置に、それぞれ配置されている。図３は、レール体２３ａ〜２３ｄの内の１つを示す平面図である。レール体２３は、開口側が対向するコ字断面を有する１対のレール２３２、２３２で構成されたガイド部２３１ｆ、２３１ｂ、２３１ｈ、２３１ｍを直交する４方向に接続して構成されている。レール２３２、２３２の間には、被案内部材としての移動体３４が摺動自在に収容されている。ガイド部２３１ｆは、移動体３４を前方へ案内し、ガイド部２３１ｂは、後方へ、ガイド部２３１ｈは、左方へ、ガイド部２３１ｍは、右方へ案内し、各ガイド部２３１ｆ、２３１ｂ、２３１ｈ、２３１ｍの交差する位置に移動体３４が位置すると、座体４の中央が、便器１０の開口部１０２の中央に重なる位置となり、ホームポジションとなるように構成されている。移動体３４の中心には、後述する係止ピンが嵌入されるピン孔３４１が形成されている。
【００１５】
第１の基体３は、板状に構成され、真円に形成された真円環状部３１を備えている。真円環状部３１の内側には開口３２が形成され、開口３２の内側面には、周方向に連続して突出形成され凸状部からなる案内レール３２１が設けられている。真円環状部３１の下側面には、前記各レール体２３ａ〜２３ｄにそれぞれ収容される被案内部材としての移動体３４ａ〜３４ｄが固定されている。このレール体２３ａ〜２３ｄと移動体３４ａ〜３４ｄによってガイド装置が構成される。
【００１６】
移動体３４ａ〜３４ｄがそれぞれレール体２３ａ〜２３ｄによって案内されつつ移動することによって、第１の基体３は、第２の基体２に対して平行移動可能となる。また、移動方向と移動量は、レール体２３ａ〜２３ｄによって規定される。レール体２３ａ〜２３ｄは、それぞれ移動体３４ａ〜３４ｄを一対のレール２３２、２３２の内側に収容することにより、第１の基体３と第２の基体２とが離れることなく、相対的に平行移動し得るような構成となっている。
【００１７】
図４に示されているように、４つのレール体２３ａ〜２３ｄの内、少なくとも１つ(図４では、レール体２３ｃ)には、移動位置位置決め手段としての位置決め装置３５が設けられている。この位置決め装置３５は、レール体２３ｃと第２の基体２との間に設けられ、スライド自在に支持されたスライド体３５１と、レール体２３ｃ側に上下方向出没自在に支持された５つの係止ピン３６、３６、３６（図中には３つ表示されている。）とを備えている。係止ピン３６は、移動体３４がレール体２３ｃの中心に位置した場合と、各ガイド部の端に位置した場合のそれぞれの位置に対応した位置に配置されている。つまり、中心位置、各ガイド部の端部の合計５つの場所に、係止ピン３６が配置される。
【００１８】
スライド体３５１は、一方向に往復動自在に設けられ、５つの係止ピン３６の下端が当節するテーパー部３５５が、係止ピン３６の配置位置に対応して、それぞれ配置されている。スライド体３５１の端部には、レバー３５２が設けられ、レバー３５２の先端部には、摘み３５３と、挿入部３５４がスライド体３５１に平行に形成されている。挿入部３５４は、第１の基体３側に形成された挿入溝３２２に挿入され、スライド体３５１と一体として挿入溝３２２内を入出する。レバー３５２は、スライド体３５１の下方へ延出させ、第２の基体２側に設けられた挿入溝に挿入部３５４が挿入される構成としてもよい。
【００１９】
このような構成において、レバー３５２を操作してスライド体３５１をスライドさせることにより、各係止ピン３６が上下に昇降する。係止ピン３６が上方へ突出することにより、移動体３４のピン孔３４１に先端が挿入され、移動体３４が固定される。これにより、第１の基体３の移動位置が位置決めされる。
【００２０】
図５は、座体４の平面図である。ガイド装置によって座体４は、最も前方に位置した４Ｆの位置、最も後方に位置した４Ｂの位置、最も左側に位置した４Ｌの位置、最も右側に位置した４Ｒの位置の範囲で、直交する２方向へ移動可能に構成される。 
また、ガイド装置によって、第１の基体３と第２の基体２が一体とされる。第１の基体３の真円環状部３１の上面は、真円形状の平滑面３３が形成されている。平滑面３３上には、座体４が載置される。座体４は、本体部４ａと、座部４ｂとから構成される。
【００２１】
図６は、座体４の側面断面図である。座体４は、中央部に開口４２を有する環状部４１を備え、後端部には凹部４１１が形成されている。この凹部４１１は、使用者が排泄後、肛門を清掃処理するための手の挿入を容易にするためのものである。 
本体部４ａと座部４ｂは、共に平面視において同一形状に形成されている。相互に分離可能に組み付けられている。本体部４ａには、円周方向に転動体としてのローラ４３が複数個、等間隔で配置されている。ローラ４３は、第１の基体３の平滑面３３に転接する。ローラ４３の配置位置は、平滑面３３に沿った円周上に位置し、各ローラ４３の回転軸４３１の延長線は、円環状の平滑面３３及び案内レール３２１の中心点で交差するように配置されている。
【００２２】
また、本体部４ａの内周部には、断面コ字形状の係合部４２１が設けられ、係合部４２１には、第１の基体３の案内レール３２１が収容される。係合部４２１は案内レール３２１に対して摺動自在であり、この係合部４２１と案内レール３２１とによって、第１の基体３と座体４とが、相互に回動自在でかつ、重なった状態で一体とされる。また、ローラ４３が転動することにより、座体４は、第１の基体３に対して滑らかに回動することができる。
【００２３】
図７は、位置決め機構５の側面断面図である。本体部４ａの下側には、回動角度位置決め手段としての回動位置決め機構５が設けられてる。座体４は線対称形状に構成され、その中心線上の前端には、位置決め機構５が設けられている。本体部４ａの下面には、支持部５２が下方に突出し、該支持部５２には、レバー５１が軸５１１を介して揺動自在に支持されている。また、支持部５２には、位置決めピン５３が、円環状の平滑面３３の中心方向へ向けて、往復動可能に保持されている。位置決めピン５３の先端部は、拡径されたスプリング受部５５１となっており、位置決めピン５３に外装された付勢手段としての圧縮スプリング５４の一端が、スプリング受部５５１に当節する。圧縮スプリング５４の他端は、レバー５１の作用面５１２又は５１３との間に介挿された、スプリング受部材５２１に当接している。
【００２４】
位置決めピン５３の先端面には、球面状に突出する凸部によって係止部５５が設けられている。一方、図１に示されているように、第１の基体３の外周面３１１には、凹状に形成された係合部３１２が形成されている。係合部３１２は、等間隔で複数個設けられている。係合部３１２には、位置決めピン５３の係止部５５が係合する。
【００２５】
レバー５１の軸５１１の近傍には、相互に直交する解除作用面５１２とロック作用面５１３が設けられている。ロック作用面５１３は、軸５１１から作用面までの距離が長く構成され、解除作用面５１２は、短く構成されている。図６及び図７における想像線で示されている状態は、レバー５１が下方に向けてセットされ、解除作用面５１２がスプリング受部材５２１に当接した状態を示すものである。この状態では、圧縮スプリング５４は、伸びた状態となっており、位置決めピン５３を、第１の基体３の外周面３１１へ向けて付勢する力が小さい。この状態で、第１の基体３に対して座体４を回動させると、位置決めピン５３の先端は、容易に係合部３１２から外れ、隣接する次の係合部３１２に係合する。このように、座体４は、位置決めんピン５３が複数の係合部３１２に係合するたびに、回動抵抗を受け、座体４が慣性により空回りすることがない。つまり、いずれかの係合部３１２に位置きめピン５３の先端が係合することで、座体４は、一時的に固定されることとなる。このような構成とすることで、座体４の回動位置を決めて、排泄のために服を脱いでいる際に、誤って座体４に服が触れて、座体４が動いてしまうなどの不都合が抑制される。
【００２６】
また、図７の実線で示されているように、レバー５１を水平姿勢に回動させると、ロック作用面５１３がスプリング受部材５２１を位置決めピン５３方向へ押込んだ状態となる。これにより、圧縮スプリング５４は、さらに圧縮され、位置決めピン５３を、係合部３１２へ強く押圧させる。 
これにより、座体４は第１の基体３に対して回動不能となり、座体４が固定される。即ち、便座に座った状態で、座体４の姿勢が固定されるので、使用者は安定した姿勢で使用することができる。
【００２７】
本体部４ａ上には、座部４ｂが載置固定される。座部４ｂが本体部４ａに対して別部材となっていることにより、例えば、弾性部材などの衝撃を吸収可能な材料で構成し、座り心地を向上させるよう、本体部４ａとは異なる材料で構成することができる。また、肌が直接接触する部分であるため、抗菌コート等の施工や、或いは発熱体を内蔵した構造を別途作成して取り付けることが可能となる。
【００２８】
なお、ローラ４３は、第１の基体３側に支持され、座体４下面に転接する構成としてもよい。さらに、レール体２３ａ〜２３ｄを、第１の基体３側に設け、移動体３４ａ〜３４ｄを第２の基体２側に設けてもよい。
【図面の簡単な説明】
【００２９】
【図１】本発明の便器用便座装置の分解斜視図である。
【図２】本発明の便器用便座装置を便器に取り付けた状態の全体図である。
【図３】レール体の構成を示す平面図である。
【図４】移動位置位置きめ手段を示す側面断面図である。
【図５】座体の全体平面図である。
【図６】座体の側面断面図である。
【図７】座体の側面断面図である。
【符号の説明】
【００３０】
１ 便器用便座装置
１０ 便器
２ 第２の基体
３ 第３の基体
４ 座体
５ 回転角度位置決め手段
４３ ローラ(転動体)
２３ａ〜２３ｄ レール体(案内部材)
３４ａ〜３４ｄ 移動体(被案内部材)
【図１】
2010075212.tif 000003
【図２】
2010075212.tif 000004
【図３】
2010075212.tif 000005
【図４】
2010075212.tif 000006
【図５】
2010075212.tif 000007
【図６】
2010075212.tif 000008
【図７】
2010075212.tif 000009